(57)【特許請求の範囲】
【請求項１】
録画予約番組の録画が正常に行なわれなかった場合に、録画予約番組と内容が同一でありかつ放送時間帯が異なる同一番組のうち録画が可能なものを録画する際の記録モードとして、追加記録モードと上書記録モードとがあり、これらの記録モードのうちから１つの記録モードをユーザに設定させるための記録モード設定手段、
録画予約番組の録画が正常に行なわれたか否かを判定する録画状態判定手段、
録画予約番組の録画が正常に行なわれなかった場合には、録画予約番組と内容が同一でありかつ放送時間帯が異なる同一番組のうち録画が可能なものを検索する検索手段、
検索した同一番組を自動的に録画予約設定する予約設定手段、ならびに
予約設定手段によって録画予約設定された同一番組を記録媒体に録画する際には、上記記録モードとして追加記録モードが設定されているか上書記録モードが設定されているかを判別し、上記記録モードとして追加記録モードが設定されている場合には、記録媒体における上記録画予約番組が記録された領域とは異なる領域に当該同一番組を記録させ、上記記録モードとして上書記録モードが設定されている場合には、記録媒体における上記録画予約番組が記録された領域に、同一番組を上書記録させる手段を備えており、
録画状態判定手段は、録画予約番組が録画開始時刻を過ぎているのに録画が開始されていない場合および録画中に受信障害により正常に録画できない状態が一定時間以上継続した場合に、録画予約番組の録画が正常に行なわれなかったと判定するものであることを特徴とするデジタル放送受信機。
【発明の詳細な説明】
【０００１】
【産業上の利用分野】
この発明は、デジタル放送受信機に関する。
【０００２】
【従来の技術】
例えばデジタル衛星放送では、衛星から送信されるビットストリームのなかにその番組の番組名、時間情報（開始時間、継続時間）、視聴料金等のサービス情報（以下ＳＩ情報）が含まれており、受信機側ではこのＳＩ情報を基にＥＰＧ（Electric Program Guide）を構成する。このＳＩ情報の中には、全てのチャンネルにおける一週間程度の情報が含まれており、視聴者はＥＰＧ上で、視聴番組の選択や、録画予約番組の選択を行なうことができる。
【０００３】
ＶＴＲ等の記録装置を用いて録画予約を行う場合、受信機は予約された番組の開始時間を監視し、開始時刻になったときに予約番組を選局、録画装置へ映像・音声データおよび制御信号を出力し、該信号を入力した録画装置は録画を開始する。番組終了時刻になると録画を停止する。
【０００４】
【発明が解決しようとする課題】
ところで、デジタル放送の場合、録画中に雨等の影響で受信障害が発生し画像が乱れることが多々あるが、乱れたままの画像が録画されてしまう。同様に録画中に停電等で受信機が動作できない状態に陥った場合、停電時間帯に番組は録画されないことになる。
【０００５】
この発明は、録画予約番組に対する録画が正常に行なわれなかった場合に、録画予約番組と同じ内容でかつ放送時間帯の異なる番組を自動的に録画予約設定できるようになるデジタル放送受信機を提供することを目的とする。
【０００７】
【課題を解決するための手段】
この発明によるデジタル放送受信機は、録画予約番組の録画が正常に行なわれなかった場合に、録画予約番組と内容が同一でありかつ放送時間帯が異なる同一番組のうち録画が可能なものを録画する際の記録モードとして、追加記録モードと上書記録モードとがあり、これらの記録モードのうちから１つの記録モードをユーザに設定させるための記録モード設定手段、録画予約番組の録画が正常に行なわれたか否かを判定する録画状態判定手段、録画予約番組の録画が正常に行なわれなかった場合には、録画予約番組と内容が同一でありかつ放送時間帯が異なる同一番組のうち録画が可能なものを検索する検索手段、検索した同一番組を自動的に録画予約設定する予約設定手段、ならびに予約設定手段によって録画予約設定された同一番組を記録媒体に録画する際には、上記記録モードとして追加記録モードが設定されているか上書記録モードが設定されているかを判別し、上記記録モードとして追加記録モードが設定されている場合には、記録媒体における上記録画予約番組が記録された領域とは異なる領域に当該同一番組を記録させ、上記記録モードとして上書記録モードが設定されている場合には、記録媒体における上記録画予約番組が記録された領域に、同一番組を上書記録させる手段を備えており、録画状態判定手段は、録画予約番組が録画開始時刻を過ぎているのに録画が開始されていない場合および録画中に受信障害により正常に録画できない状態が一定時間以上継続した場合に、録画予約番組の録画が正常に行なわれなかったと判定するものであることを特徴とする。
【００１０】
【発明の実施の形態】
以下、図面を参照して、この発明の実施の形態について説明する。
【００１１】
図１は、デジタルテレビ放送受信機の構成を示している。
【００１２】
デジタル放送波は、図示しないアンテナを介してチューナ部１に送られ、高周波処理および復調が行われる。チューナ部１からの出力はデマルチプレクサ部２に送られ、パケットの復号が行われる。
【００１３】
デマルチプレクサ部２において、パケットは、音声データ、映像データおよび番組情報等のサービス情報データ（ＳＩデータ）に分別される。デマルチプレクサ部２によって分別された音声データは、音声処理部３を介して音声出力端子１０に送られる。デマルチプレクサ部２によって分別された映像データは、映像処理部４を介してマルチプレクサ部８に送られる。デマルチプレクサ部２によって分別されたＳＩデータは、メモリ部５に送られる。
【００１４】
オンスクリーン生成部７は、ＣＰＵ部１２からの指令に基づいて番組案内画面ＥＰＧ）等の表示データを生成する。マルチプレクサ部８は、映像処理部４から出力された映像データにオンスクリーン生成部７から送られてきた表示データをスーパーインポーズ処理する。マルチプレクサ部８から出力される映像データは、ＮＴＳＣ変換部９を介して映像出力端子１１に送られる。
【００１５】
ＣＰＵ部１２は、各部を制御する。ＣＰＵ部１２には、図示しないリモコン送信機からのリモコン信号がリモコン受信部１３を介して入力される。また、ＣＰＵ部１２は、録画制御端子１４を介して、外部の録画装置へ録画、停止等の制御情報が出力される。
【００１６】
この実施の形態では、初期設定メニュー上に予約録画初期設定ボタンが設けられており、このボタンを押下げることにより、予約録画初期設定画面が表示されるようになっている。ユーザは、予約録画初期設定画面上で、１．同一番組保護モード、２．異常部分カットモードのうちから、１つの録画用メインモードを選択できるようになっている。さらに、同一番組保護モードが選択された場合には、ａ．通常記録モード、ｂ．追加記録モード、ｃ．上書記録モードのうちから１つの録画用サブモードを選択できるようになっている。
【００１７】
以下の説明において、同一番組とは、録画予約番組と内容が同一あってかつ録画予約番組とは放送時間帯が異なる番組をいう。追加記録モードとは、録画予約番組が記録された領域とは異なる領域に同一番組を記録するサブモードである。上書記録モードとは録画予約番組が記録された領域に、同一番組を上書記録するサブモードである。
【００１８】
図２は、録画用メインモードとして同一番組保護モードが設定されている場合において、ＥＰＧから録画予約番組が選択されたときに表示される番組予約画面の一例を示している。
【００１９】
番組予約画面には、選択された録画予約番組に関する情報が表示されるとともに、録画の種類（視聴予約、録画予約または視聴・録画予約）を選択するためのボタン２１、２２、２３と、同一番組検索ボタン２４とが表示される。なお、ユーザによって設定された録画予約情報（予約録画番組に関する情報）は、不揮発性メモリ部６に記憶される。
【００２０】
図３は、録画用サブモードとして追加記録モードが設定されている場合において、番組予約画面上の同一番組検索ボタンが押されたときに表示される同一番組検索画面の一例を示している。
【００２１】
同一番組検索画面には、録画予約番組の他、同一番組が放送時間の早いものから順に表示される。また、同一番組検索画面には、現在設定されているサブモードを示すとともに変更するためのボタン３１が設けられている。このボタン３１を操作することによって、サブモードを変更することが可能である。検索された同一番組のうち、未契約以外のものには、白丸または黒丸のチェックマークが表示される。黒丸は録画予約番組に対して付けられる。
【００２２】
なお、同一番組のうち、追加記録または上書記録の対象となるものを、ユーザに選択させるようにしてもよい。
【００２３】
ＳｋｙＰｅｒｆｅｃｔＴＶのサービス情報伝送規格（ＪＥＴ）に基づいたＳＩが伝送されている場合における、同一番組の検索方法について説明する。ＪＥＴでは繰り返し番組の場合、同一番組であることを示すＩＤ（ｒｅｆ＿ｅｖｅｎｔ＿ｉｄ）を持っているので、それが一致する番組を検索することによって同一番組を検索することができる。また、番組毎にジャンルコードを持っているため、ジャンルコードが一致したチャンネルのみを検索すれば検索時間を短縮することができる。
【００２４】
図４は、録画用メインモードとして同一番組保護モードが設定されている場合において、録画予約番組を録画する際の録画処理手順を示している。
【００２５】
サブモードとして通常記録モードが選択されている場合には（ステップ１でＹＥＳ）、従来と同様に録画予約番組の録画処理を行なう（ステップ２）。
【００２６】
サブモードとして追加記録モードまたは上書記録モードが選択されている場合には（ステップ１でＮＯ）、同一番組の検索処理が行なわれるとともに（ステップ３）、予約録画番組の録画処理が行なわれる（ステップ４）。検索処理で検索された同一番組は、当該予約録画番組の同一番組として不揮発性メモリ部６に記憶される。
【００２７】
録画処理が終了すると、録画が正常に行なわれたかか否かを判定する（ステップ５）。この判定は、録画中に雨や停電等で正常に録画できない状態（異常状態）が一定時間以上続いたかどうかに基づいて行なわれる。異常を検知する方法として例えば受信障害の場合、チューナがそのチャンネルの周波数にロックし、正常にチューニングできているかどうかを監視すればよい。また、映像処理部内のＭＰＥＧデコーダによって検出されるエラーに基づいて異常状態であるか否かを検出してもよい。停電の場合の検知手段としては、不揮発性メモリ部６に記録されている録画予約番組が開始時間を過ぎているのに録画が開始されていない場合に異常とみなせば良い。録画が正常に行なわれたか否かの判定を、異常状態の最大継続時間に基づいて行なってもよいし、すべての異常状態の継続時間の総和に基づいて行なってもよい。
【００２８】
録画が正常に行なわれた場合には（ステップ５でＹＥＳ）、録画処理を終了する。録画が正常に行なわれなかった場合には（ステップ５でＮＯ）、ステップ３で検索された同一番組のうち、この後において最初に放送が開始される番組（次の同一番組）を検索する（ステップ６）。次の同一番組が存在しない場合には（ステップ７でＮＯ）、録画処理を終了する。次の同一番組が存在する場合には（ステップ７でＹＥＳ）、当該同一番組の録画予約設定を行なう（ステップ８）。
【００２９】
ステップ８で録画予約設定が行なわれた同一番組の録画開始時刻になると（ステップ９）、サブモードが追加記録モードであるか上書記録モードであるかを判別する（ステップ１０）。サブモードが追加記録モードである場合には、録画予約番組以外の同一番組が既に追加記録（録画）されているか否かを判別する（ステップ１２）。
【００３０】
録画予約番組以外の同一番組が既に追加記録されていない場合、すなわち、録画予約番組以外の同一番組が始めて録画される場合には、同一番組の録画処理が行なわれる（ステップ１４）。この場合には、ステップ４で記録媒体に録画された録画予約番組とは異なる領域に同一番組が録画される。そして、ステップ５に戻る。
【００３１】
上記ステップ１２において、録画予約番組以外の同一番組が既に追加記録されていると判定された場合、つまり、録画予約番組以外の同一番組を追加記録したが、その追加録画時においても録画が正常に行なわれなかった場合には、録画開始位置を、既に録画した同一番組の先頭記録位置に戻した後（ステップ１３）、同一番組の録画処理を行なう（ステップ１４）。この場合にも、ステップ４で記録媒体に録画された録画予約番組とは異なる領域に、同一番組が録画されることになる。そして、ステップ５に戻る。
【００３２】
上記ステップ１０において、サブモードが上書記録モードであると判定された場合には、録画開始位置を、ステップ４で録画した録画予約番組の先頭記録位置まで戻した後（ステップ１１）、同一番組の録画処理を行なう（ステップ１４）。この場合には、ステップ４で録画された録画予約番組の録画開始位置から、同一番組が録画されることになる。そして、ステップ５に戻る。
【００３３】
録画が正常に行なわれなかったときには、ステップ５〜ステップ１４の処理が繰り返し行なわれ、録画が正常に行なわれたとき（ステップ５でＹＥＳ）または、録画できる同一番組が無くなったとき（ステップ７でＮＯ）に、録画処理を終了する。最終的に正常な録画ができないまま終了する可能性があるが、従来に比べて異常録画の可能性は減少する。
【００３４】
ここでは、録画装置の処理は省略したが、たとえばテープに記録するアナログＶＴＲを記録装置にした場合、記録開始時に頭出し用の信号をテープに記録し、頭出し信号を基に記録位置の制御を行えばよい。将来的にはディスク等にデジタル記録するようになると思われるが、その場合、制御に関するインターフェース規定は規格として別途制定されるためここでは省略する。記録位置の制御に関しては規格に沿ったものとなる。
【００３５】
上記実施の形態では、録画が終了した後において、録画が正常に行なわれなかったと判定した場合に次の同一番組の検索を行なっているが、録画中に異常が発覚した時点で録画を中止し、次の同一番組の検索を行なってもよい。
【００３６】
次に、録画メインモードとして、異常部分カットモードが設定されている場合の録画処理について説明する。
【００３７】
異常部分カットモードが設定されている場合においては、録画中に受信障害等の異常を検知し、正常に復帰するまで録画装置への記録を一時停止する。復帰した場合に再度録画を開始する。短時間の異常で録画を中断すると逆に見苦しくなる可能性があるので、異常状態が数秒以上継続した時に録画を中断させるようにしてもよい。
【００３８】
【発明の効果】
この発明によれば、録画予約番組に対する録画が正常に行なわれなかった場合に、録画予約番組と同じ内容でかつ放送時間帯の異なる番組を自動的に録画予約設定できるようになる。
【図面の簡単な説明】
【図１】デジタル放送受信機の構成を示すブロック図である。
【図２】番組予約画面の一例を示す模式図である。
【図３】同一番組表示画面である。
【図４】ＣＰＵによる番組録画処理手順を示すフローチャートである。
【符号の説明】
１  チューナ部
２  デマルチプレクサ部
３  音声処理部
４  映像処理部
５  メモリ部
６  不揮発性メモリ部
７  オンスクリーン部
８  マルチプレクサ部
９  ＮＴＳＣ変換部
１０  音声出力端子
１１  映像出力端子
１２  ＣＰＵ部
１３  リモコン受信部
１４  録画制御端子
【図１】
0003728170.tif 000002
【図２】
0003728170.tif 000003
【図３】
0003728170.tif 000004
【図４】
0003728170.tif 000005